(57)【要約】【課題】輝度低下を防止しつつランプイメージを緩和するための新たな技術的手段を提供する。【解決手段】発光面の背後にランプ３が配置された発光装置１において、ランプ３からの光をランプイメージが残る程度に散乱させてランプイメージをぼかすためのぼかし部としての拡散フィルム１１，１３と、ぼかされたランプイメージの数をレンズによって面方向に増加させるレンズ部１２ｂ、１４と、を備えている。【選択図】      図１
2004319122.tif 000002
【特許請求の範囲】
【請求項１】
発光面の背後にランプが配置された発光装置において、
ランプからの光をランプイメージが残る程度に散乱させてランプイメージをぼかすためのぼかし部と、
ぼかされたランプイメージの数をレンズによって面方向に増加させるレンズ部と、
を備えていることを特徴とする発光装置。
【請求項２】
発光面構造体の背後に線状光源が配置された発光装置において、
前記発光面構造体は、
線状光源からの直接光が入射可能な第１拡散フィルムと、
前記第１拡散フィルム側からの光が通過するように配置され、かつ前記線状光源と略平行に延びて形成された複数の突条を有する第１レンズ面部と、
前記レンズ面部側からの光が通過するように配置された第２拡散フィルムと、を備えていることを特徴とする発光装置。
【請求項３】
前記第２拡散フィルム側からの光が通過するように配置され、かつ前記第１レンズ面部の突条と略平行に延びて形成された複数の突条を有する第２レンズ面部を、さらに備えていることを特徴とする請求項２記載の発光装置。
【請求項４】
発光面構造体の背後に線状光源が配置された発光装置において、
前記発光面構造体は、複数の面状部材が重ねられて構成され、
前記面状部材としては、
線状光源からの光をランプイメージが残る程度に散乱させてランプイメージをぼかすためのぼかし部と、
前記ぼかし部側からの光が通過するように配置され、かつ前記線状光源と略平行に延びて形成された複数の突条を有するレンズ面部と、
を含み、
前記レンズ面部は、前記面状部材の中で最も厚く、前記発光面構造体における剛性確保を担う板状の透明材によって形成されている、
ことを特徴とする発光装置。
【請求項５】
前記ぼかし部は、拡散フィルムであることを特徴とする請求項１又は４記載の発光装置。
【請求項６】
発光面の背後にランプが配置された発光装置におけるランプイメージ緩和方法であって、
ランプからの光をランプイメージが残る程度に散乱させてランプイメージをぼかし、
ぼかされたランプイメージの数をレンズによって面方向に増加させることで発光面におけるランプイメージを緩和することを特徴とするランプイメージ緩和方法。
【発明の詳細な説明】
【０００１】
【発明の属する技術分野】
本発明は、液晶表示装置用の直下型バックライトのような発光装置及び発光装置におけるランプイメージ緩和方法に関するものである。
【０００２】
【従来の技術】
従来の液晶表示装置用の直下型バックライトの基本構成は、拡散剤を混入して厚さ数ｍｍ程度に形成された白色の拡散板の背後に冷陰極管ランプを複数本配置したものであり、冷陰極管ランプからの光が拡散板において拡散されて面状の発光面を得るものである。
ランプからの光が拡散板中を通過すると、拡散板内部に存在する拡散剤によって光が拡散される。しかも、拡散板は、通常、厚さが数ｍｍあり、厚みのある拡散板を光が通過することで拡散剤による拡散作用が大きくなって、ランプイメージを効果的に緩和することができる。また、従来の拡散板は、光の透過率が比較的低く設定されており、ランプからの光を拡散板において反射ないし吸収することで、ランプ直上位置での明るさを抑え、高い拡散作用と相まって、比較的良好な発光品位を得ている。
このように、従来の直下型バックライトでは、線状光源である冷陰極管ランプから面状の発光面を得るために、拡散板が不可欠である。
また、拡散板だけでは、ランプイメージの解消が困難な場合には、特許文献１にあるように、ライティングカーテンによってランプ直上位置で遮光することで発光面における光の均一性を得ることもあるが、この場合も、拡散板は必要である。
【０００３】
【特許文献１】
特開２００２−３１３１０３号公報
【０００４】
【発明が解決しようとする課題】
拡散板を設けることは、所望の発光品位を得る上では不可欠であるが、発光効率の低下を招く欠点がある。つまり、拡散板は、良好な発光品位をランプからの光を拡散板において反射ないし吸収しているため、輝度が下がり、発光効率が悪い。特に、拡散板中の拡散剤による光の吸収が発光効率の低下を招く。また、ランプ本数を増加させて、輝度を高めるとともに隣接するランプ間距離を小さくすることで輝度上昇とランプイメージ緩和を図ることも考えられるが、ランプ本数の増加は消費電力の増加を招き好ましくない。
【０００５】
そこで、本発明は、輝度低下を防止しつつランプイメージを緩和するための新たな技術的手段を提供することを目的とする。
【０００６】
【課題を解決するための手段】
第１の本発明は、発光面の背後にランプが配置された発光装置において、ランプからの光をランプイメージが残る程度に散乱させてランプイメージをぼかすためのぼかし部と、ぼかされたランプイメージの数をレンズによって面方向に増加させるレンズ部と、を備えていることを特徴とする発光装置である。
【０００７】
本発明では、拡散フィルムなどからなるぼかし部によって、ランプからの光はランプイメージが残るものの適度に散乱され、ランプイメージの明暗がほかされる。そして、明暗がぼかされたランプイメージの数がレンズフィルムなどのレンズによって面方向に分けられて増加すると、発光面では、実際のランプの数よりも多い数のランプイメージが現れる。したがって、ランプ本数を増やした場合のようなランプイメージの解消作用が得られる。しかも、ほかし部によって明暗の境界がぼかされた状態でランプイメージが複数に分けられるため、発光面が均一化されやすい。
【０００８】
なお、従来のレンズフィルムは、拡散板の上に重ねて集光のために用いられており、上記のようにランプイメージの数を増やすためのものではない。拡散板とレンズフィルムとの組み合わせの下では、ランプからの光は、拡散板によって十分に拡散されてランプイメージが解消された状態で、レンズフィルムに入光する。このとき、拡散板はランプイメージを解消するけれども、光を全方向に拡散しているため、発光面を正面からみたときの正面輝度は低い。レンズフィルムは、この正面輝度を上昇させるために拡散光を正面方向に集光している。
【０００９】
一方、本発明のレンズとしては、レンズフィルムを採用できるが、本発明のレンズとしてのレンズフィルムに入る光は、ランプイメージがぼかされている程度であり、ランプからの光の直線性が維持されており、このような光をレンズフィルムに通すと、ランプイメージが複数に分かれて見えることが判明した。
【００１０】
また、第２の本発明は、発光面構造体の背後に線状光源が配置された発光装置において、前記発光面構造体は、線状光源からの直接光が入射可能な第１拡散フィルムと、前記第１拡散フィルム側からの光が通過するように配置され、かつ前記線状光源と略平行に延びて形成された複数の突条を有する第１レンズ面部と、前記レンズ面部側からの光が通過するように配置された第２拡散フィルムと、を備えていることを特徴とする。
【００１１】
第１拡散フィルムは、フィルム状態であって薄いため、厚さが数ｍｍもある拡散板とは異なり、ランプイメージはぼかされる程度であって、ランプイメージの解消には至らない。そして、第１拡散フィルムから出た光が第１レンズ面部を通過すると、レンズ作用によって線状光源の長手方向と直交する方向にランプイメージが分けられる。第１拡散フィルムによってぼかされたランプイメージが増加して、ランプイメージ間の間隔が小さくなり、ランプ数を増加させた場合のように発光面の均一性が向上する。さらに再度、第２拡散フィルムによって光をぼかすことによって光の均一性が一層向上する。拡散板なしで拡散フィルムを２枚重ねた程度では、ランプイメージを解消することは困難であるが、両拡散フィルムの間にレンズ面部を介在させることで、ランプからの光を（拡散板経由なしで）直接第１拡散フィルムに入光させてもランプイメージを解消することが可能となる。
【００１２】
以上によってもランプイメージの解消が十分でない場合や一層の発光品位向上を求める場合には、前記第２拡散フィルム側からの光が通過するように配置され、かつ前記第１レンズ面部の突条と略平行に延びて形成された複数の突条を有する第２レンズ面部を、さらに備えるのが好ましい。第２レンズ面部によって、線状光源と直交する方向にランプイメージの数がさらに増えて、ランプを非常に多くした場合と同様に発光面の均一性が向上する。このように、ぼかしとランプイメージ数の増加とを複数回繰り返すことにより発光品位の向上を一層図ることができる。
【００１３】
第３の本発明は、発光面構造体の背後に線状光源が配置された発光装置において、前記発光面構造体は、複数の面状部材が重ねられて構成され、前記面状部材としては、線状光源からの光をランプイメージが残る程度に散乱させてランプイメージをぼかすためのぼかし部と、前記ぼかし部側からの光が通過するように配置され、かつ前記線状光源と略平行に延びて形成された複数の突条を有するレンズ面部と、を含み、前記レンズ面部は、前記面状部材の中で最も厚く、発光面構造体における剛性確保を担う板状の透明材によって形成されている、ことを特徴とする。この場合、ぼかし部によるぼかしと、レンズ面部によるランプイメージ数の増加により発光品位の向上を図ることができる。また、従来は厚さ数ｍｍの拡散板によって発光面の剛性を担っていたため、拡散剤による光のロスが大きくなっていたが、剛性を担う部材が透明であるため、数ｍｍ程度にまで厚くしても光吸収によるロスがほとんどなく、発光効率が良い。
なお、上記ぼかし部としては、拡散フィルムを採用するのが好ましい。
【００１４】
第４の本発明は、発光面の背後にランプが配置された発光装置におけるランプイメージ緩和方法であって、ランプからの光をランプイメージが残る程度に散乱させてランプイメージをぼかし、ぼかされたランプイメージの数をレンズによって面方向に増加させることで発光面におけるランプイメージを緩和することを特徴とする。ランプイメージのぼかしと数の増加によって発光面の発光品位を向上させることができる。
【００１５】
【発明の実施の形態】
以下、本発明の好ましい実施形態を図面に基づいて説明する。
図１は、液晶表示装置用の直下型バックライトとして用いられる発光装置１を示している。発光装置１は、発光面が形成される開口を有するケーシング２内にランプ３が設けられ、前記開口に発光面構造体４を配置して構成されている。発光面構造体から出た光は、図示しない液晶パネルへ照射される。
なお、液晶表示装置用の直下型バックライトでは、薄型化、高輝度化などが求められている。
【００１６】
ケーシング２は、矩形状の底面２ａの各辺から側面部２ｂが立設され、上方開口の箱状に形成されている。ケーシング２の内面には反射フィルム５が敷設されており、ランプ３からの光を発光面構造体４側に反射するための反射面が形成されている。
ランプ３は、線状光源として構成されており、具体的には冷陰極管ランプによって構成されている。ランプ３は、ケーシング２内に複数本配置されており、各ランプ３は互いに平行に配置されている。なお、図１においてランプ３の長手方向は紙面と直交する方向である。
【００１７】
発光面構造体４は、複数の面状部材１１，１２，１３，１４を重ねて構成されている。面状部材の中で最も厚い部材として透明板１２が設けられている。この透明板１２の厚さは、１〜３ｍｍ程度であり、好ましくは２ｍｍ程度である。透明板１２以外の面状部材１１，１３，１４は、いずれもフィルム状であり、具体的には厚さが０．２５ｍｍ以下である。フィルム状の面状部材１１，１３，１４は、ケーシング２開口に位置する発光面構造体４の撓みを防止できる程度の剛性をもっていないが、最も厚い透明板１２は、従来の拡散板と同様に発光面としての撓みを防止するための剛性確保を担っている。透明板１２は、アクリル、ポリカーボネート、又はシクロオレフィンポリマー（商品面：ゼオノア  日本ゼオン（株）製）などの、透明性が高く、高温（８０℃程度）下で安定した形状を保持する樹脂が適する。また、透明板１２は、ガラス製であってもよい。
【００１８】
透明板１２は、ある程度の厚みを持っているが、透明であるため、その内部を光が通過しても光のロスがほとんどない。これに対し、従来、剛性確保を担っていた拡散板は、乳白色であり、拡散剤等の光吸収によるロスが多かったが、透明板１２を採用することで、剛性確保をしても光のロスを防止できる。
【００１９】
透明板１２は、ランプ３側の入光面１２ａとは反対側の出光面１２ｂに、第１レンズ部が形成されている。この第１レンズ部１２ｂは、出光面において、断面が三角形又は半円形状である複数本の突条がランプ３の長手方向とほぼ平行に形成されている。このように、透明板１２は、レンズを持つ面状部材であるレンズ面部として構成されている。なお、図１では、突条の断面形状として、三角形のもの（プリズム）を例示している。第１レンズ部１２ｂは、透明板１２と一体的に形成してもよいし、レンズを有しない透明板１２に別途形成されたレンズ部（レンズフィルム）をＵＶ硬化樹脂などにより接合してもよい。
【００２０】
レンズ部１２ｂは、発光面におけるランプイメージを面方向に複数に分ける。ランプイメージは、レンズ部１２ｂの突条の長手方向と直交する方向Ｄに分かれる。第１レンズ部１２ｂの突条は線状ランプ３の長手方向と同方向に向けられているため、各ランプ３に対応する線状ランプイメージは、ランプ長手方向と直交する方向Ｄに２つに分かれる。したがって、ランプ３の数を倍に増やしてランプ間距離Ｌ１を小さくしたのと同様に、数が倍で各ランプイメージ間の距離が小さくなる。
【００２１】
図３は、図２とともにランプイメージの数が増える原理（推測したもの）を説明したものである。図２のＢの位置（ランプ直上位置）では、図３（ｂ）に示すように、ランプ３からレンズ部１２ｂに直接到達する光は、レンズ部１２ｂの面に対してほぼ直交しており、このような光は突条（プリズム）による二重反射で出光しにくい。一方、ランプ直上位置ＢからＤ方向にずれた位置Ａ，Ｃでは、図３（ａ）（ｃ）に示すように突条（プリズム）による屈折で正面方向に立ち上げられて出光する。この結果、位置Ａ，Ｃにおいてランプイメージが現れ、一つのランプ３からの光が２つのランプイメージとして表れることになる。また、ランプイメージが分かれるため、個々のランプイメージの明るさが低下し、発光面における明暗差が小さくなる。
【００２２】
従来の直下型バックライトにおいては、レンズとしてレンズフィルムが使用されることがあるが、従来の直下型バックライトにおけるレンズフィルムは、輝度上昇フィルムとも呼ばれており、拡散板によって拡散した光を正面方向（拡散板の法線方向）に集光して正面方向輝度を上昇させるために用いられており、ランプイメージを分けるために用いられてはいなかった。つまり、従来は、光がレンズフィルムに入る前に、拡散板による拡散等で光を均一化していた。このため、図２の位置Ａ，Ｂ，Ｃの位置はもちろん発光面全体で拡散光が生じていた。レンズフィルムでは、全方向に拡散した光をレンズフィルムの屈折（図３（ａ）（ｂ）の屈折）作用により正面方向に集光していた。このため、レンズフィルムは、集光機能を持つものの、ランプイメージを分けるようには機能していなかった。一方、本実施形態の直下型バックライトでは、ランプイメージが残り、ランプ３からの光の直線性が維持されたままレンズ部１２ｂに光が入るため、レンズ部１２ｂは、ランプイメージを分けるように機能すると考えられる。
【００２３】
透明板１２の入光面１２ａ側には第１拡散フィルム１１が配置されている。第１拡散フィルム１１は、発光面構造体４を構成する面状部材１１，１２，１３，１４のうち、ランプ３からの光が最初に入光するものであり、最もランプ３側に配置されている。第１拡散フィルム１１では、ランプ３からの直接光がある程度、拡散・散乱し、ランプイメージの明暗がぼかされる。つまり、第１拡散フィルム１１は、ぼかし部として作用する。ただし、拡散フィルムは、非常に薄いなどの原因から、厚みのある拡散板のように、ランプイメージを解消するほどの強力な拡散作用がなく、ランプイメージが残ったままとなる。
第１拡散フィルム１１としては、ヘーズ値が高いものが好ましく、より具体的にはヘーズ値８０％以上が好ましい。このような拡散フィルム１１としては、恵和（株）製のＢＳ−０４、同社製の＃１００−ＫＢＳ２、きもと（株）製の１００ＧＭ２、同社製の１８８ＧＭ２、ツジデン（株）製のＤ１１７ＵＥＹ、又は同社製のＤ１２０などを採用できる。
【００２４】
また、第１拡散フィルム１１によるぼかしを補強するために、透明板１２の入光面１２ａには、微細な凹凸（シボ）が形成されており、この凹凸によってもランプイメージがぼかされる。透明板１２のシボは、透明板１２を形成する成形金型の入光面１２ａ対応範囲にサンドブラスト等によって微細な凹凸を形成しておくことで形成できる。その他、透明板１２に設けるぼかし部としては、凹凸以外に、入光面１２ａへの白色ドットの印刷、拡散ビーズの塗布、拡散作用を持つ部材の接着などを採用できる。なお、ぼかし部として透明板１２の入光面１２ａに設けたものだけを採用し、第１拡散フィルムを省略してもよい。
【００２５】
前記第１レンズ部１２ｂには、ぼかし部によってランプイメージの明暗の差がぼかされた状態で光が入り、当該第１レンズ部１２ｂは、ぼかしランプイメージを複数に分けるため、単にランプイメージを分けるよりも発光面を均一化できる。
また、ぼかし部１１から第１レンズ部１２ｂまでの間に透明板１２による透明層が介在しており、この透明層の存在により、ぼかし部１１によって散乱した光が第１レンズ部１２に到達するまでに面方向の位置ズレが生じ、ぼかし度合いを大きくすることができる。
【００２６】
複数のランプ３間の距離が比較的小さい場合や、ランプ３から発光面構造体４までの距離が比較的大きい場合など、ランプイメージが弱くしか発生しない場合には、以上の第１拡散板１１と透明板１２とで良好な発光品位が得られる。ただし、本実施形態では、ランプ３間の距離Ｌ１を比較的大きく保ちつつ（２５ｍｍ程度）、反射面５の底部と発光面構造体４との間の距離Ｌ２を比較的小さく（１０ｍｍ程度）するため、ランプイメージが強く表れることから、後述の第２ぼかし部と第２レンズ部によって良好な発光品位を得ている。
【００２７】
具体的には、透明板１２の出光面１２ｂ側には、第２拡散フィルム１３が配置されている。第２拡散フィルム１３には、第１レンズ部１２ｂから出た光が入る。この第２拡散フィルム１３も、第１拡散フィルム１４と同様に、ランプイメージの明暗をぼかすぼかし部として作用する。この第２拡散フィルム１３が設けられていることで、光の均一化が促進される。第２拡散フィルム１３としては、ヘーズ値が高いものが好ましく、より具体的にはヘーズ値８０％以上が好ましい。このような拡散フィルム１３としては、恵和（株）製のＢＳ−０４、同社製の＃１００−ＫＢＳ２、きもと（株）製の１００ＧＭ２、同社製の１８８ＧＭ２、ツジデン（株）製のＤ１１７ＵＥＹ、又は同社製のＤ１２０などを採用できる。
【００２８】
第２拡散フィルム１３の上には、さらにレンズフィルム（プリズムフィルム）１４が配置されている。レンズフィルム１４には、第２拡散フィルム１３から出た光が入る。本実施形態では、この第２拡散フィルム１３は、発光面構造体４のうち、光均一化のための面状部材としては最後に位置するものである。レンズフィルム１４は、レンズが形成されている面が出光側（図１において上側）の面となるように配置されている。レンズフィルム１４は、断面が三角形又は半円形状である複数本の突条がランプ３の長手方向及び第１レンズ部１２ｂの突状とほぼ平行に形成されている。このように、レンズフィルム１４は、レンズを持つ面状部材である第２のレンズ面部（第２レンズ部）として構成されている。第２レンズ部であるレンズフィルム１４としては、例えば、３Ｍ製ＢＥＦＩＩ９０／５０、又は同社製ＢＥＦＩＩ９０／５０などを採用できる。
【００２９】
第２ぼかし部である第２拡散フィルム１３、及び第２レンズ部である第２レンズフィルム１４は、それぞれ第１拡散フィルム１１及び第１レンズ部１２ｂと同様な機能を果たす。つまり、第２ぼかし部１３によってランプイメージのぼかしが行われ、ぼかされたランプイメージが第２レンズ部１４によって複数に分けられる。この結果、ランプイメージの数は、実際のランプ３の数に比べて非常に多くなり、分かれた個々のランプイメージの一部又は全部が他のランプイメージと重なり合うようになって均一な明るさが得られる。このように、レンズ部によるランプイメージの分割を複数回行うことによって、ランプイメージの数を増やすことができ、発光品位を上げるのが容易となる。しかも、単にランプイメージの数を増やすだけでは、強い明暗差が残り、これを解消するのに拡散板程度の強い拡散作用が必要となるおそれがあるが、ランプイメージの分割とランプイメージのぼかしとが組み合わされているため、明暗差が低減された状態でランプイメージの数が増えてゆき、容易に均一な発光面が得られる。
【００３０】
なお、図１に示した前述の面状部材１１，１２，１３，１４は、光の均一化のためのものであるが、発光面構成体４としては、第２レンズフィルム１４（第２レンズフィルム１４がない場合には第１レンズ部１２ｂ）を保護したり、視野角を広げる目的で、他の光学フィルムを含んでも良い。レンズの保護の目的の場合、保護フィルムとしては、例えば、ヘーズの低い拡散シート（例えば、恵和（株）製ＰＳＳ−０１０、同社製＃１００−ＢＭＵ４Ｓなど）を採用できる。視野角を広げる際には、保護フィルムよりはヘーズの高い（ヘーズ値３０％〜５０％）の拡散シート（例えば、恵和（株）＃１００−ＢＭＵ４Ｓ、同社製ＰＢＳ−０６０、きもと（株）製１２５ＴＬ４など）を採用できる。
【００３１】
【実施例】
図１に示す直下型バックライトにおいて、ケーシング２を厚さ１．０ｍｍのアルミニウム、ランプ３を径３ｍｍの冷陰極管ランプ、反射フィルム５を東レ製Ｅ６０Ｖ、第１拡散フィルム１１を恵和（株）製ＢＳ−０４、透明板１２を厚さ２ｍｍのアクリル透明板、透明板１２の入光面１２ａをサンドブラストによる凹凸面、透明板１２の出光面１２ｂを三角形突条の頂角が１００゜であって個々の突条の幅（三角形の底辺長さ）が７０μｍであるプリズム面、第２拡散フィルム１３を恵和（株）製ＢＳ−０４、レンズフィルム１４を３Ｍ製ＢＥＦＩＩ９０／５０、ランプ間距離Ｌ１を２５ｍｍ、発光面構造体４（第１拡散フィルム１１）と反射面５との間の距離Ｌ２を１０ｍｍとし、発光面構造体４によって得られた発光面の発光品位を目視観察し、輝度を測定した。
【００３２】
従来型の拡散板を用いる直下型バックライトでＬ２を１０ｍｍ程度に小さくするとランプイメージ解消されにくく、Ｌ２を１６ｍｍ程度にまで大きくしないと良好な発光品位が得られなかったが、本実施例では、Ｌ２を１０ｍｍにまで小さくしても良好な発光品位が得られた。つまり、光均一性が高いことが確認された。また、拡散板やライティングカーテンがないため光のロスが少ないとともに、Ｌ２を小さくしていることから、７５００ｃｄ／ｍ２という高輝度が得られた。
以上のように、本実施例では、薄型化、良好な発光品位、高輝度が達成できた。
【００３３】
なお、本発明は、上記の例によって限定されるものではなく、様々な変形が可能である。例えば、発光面構造体に剛性が必要ない場合には、透明板１２に変えてレンズフィルムを用いても良い。この場合、１ｍｍ程度の薄い発光面構造体を構成でき、薄くても強力な光均一化作用を発揮できる。
また、本発明の発光装置は、液晶表示装置用に限らず、シャウカステンや発光式看板などにも採用できる。
【図面の簡単な説明】
【図１】実施形態に係る発光装置の概略断面図である。
【図２】レンズによる光分割作用の説明図である。
【図３】（ａ）は、図２の位置Ａにおける光の屈折を示す図であり、（ｂ）は、図２の位置Ｂにおける光の二重反射を示す図であり、（ｃ）は、図２の位置Ｃにおける光の屈折を示す図である。
【符号の説明】
１  発光装置
３  ランプ（線状光源）
４  発光面構造体
１１  第１拡散フィルム（第１ぼかし部）
１２  透明板（第１レンズ面部）
１２ｂ  第１レンズ部
１３  第２拡散フィルム（第２ぼかし部）
１４  レンズフィルム（第２レンズ部；第２レンズ面部）
【図１】
2004319122.tif 000003
【図２】
2004319122.tif 000004
【図３】
2004319122.tif 000005